(57)【要約】読取部が互いに対向し、各々が複数のトラックからの情報の出力ができるカードリーダにおいて、磁気ヘッドで読み取った情報の種類を検知する検知部と、２つの磁気ヘッドと複数のトラックと各々接続された複数の復調部と復調された情報を格納する格納部とを有し、検知部は全ての格納部に接続され、情報の種類によって格納部に格納された情報の出力を制御し、磁気カードに記録された情報において、２つの磁気ヘッドのトラックから読み取った情報のうち、必要な磁気カード情報のみを有効にする。
2003015083.tif 000002
【特許請求の範囲】
【請求項１】
磁気ヘッドと、前記磁気ヘッドで読み取られた信号の種類を検知する検知部と、前記磁気ヘッドで読み取られた情報を格納する格納部と、前記検知部によって検知された信号の種類によって前記格納部に格納された情報の出力を制御するカードリーダ。
【請求項２】
読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、前記磁気ヘッドで読み取った情報の種類を検知する検知部とを有し、前記検知部は情報の種類によって前記格納部に格納された情報の出力を制御するカードリーダ。
【請求項３】
読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、前記磁気ヘッドで読み取った情報の種類を検知する検知部とを有し、前記検知部は全ての格納部に接続され、情報の種類によって前記格納部のそれぞれについて格納された情報の出力を制御するカードリーダ。
【請求項４】
読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、何れか一方の磁気ヘッドに直接または間接的に接続され、この接続された磁気ヘッドで読み取った情報の種類を検知する検知部とを有し、前記検知部は情報の種類によって前記格納部に格納された情報の出力を制御するカードリーダ。
【請求項５】
読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、前記２つの磁気ヘッドのそれぞれに個別に直接的または間接的に接続され、この接続されている磁気ヘッドで読み取った情報の種類を検知する検知部とを有し、前記検知部はそれぞれが接続されている磁気ヘッドが読み取った情報が格納される格納部に接続され、情報の種類によって前記格納部に格納された情報の出力を制御するカードリーダ。
【請求項６】
検知部は、オペアンプと、前記オペアンプからの信号を基準信号と比較するコンパレータと、コンパレータに接続されたフリップフロップからなる請求項１から５いずれかに記載のカードリーダ。
【発明の詳細な説明】
技術分野
本発明は、磁気ストライプを設けた磁気カードに記録された情報を読み取るカードリーダに関するものである。
背景技術
今日、磁気カード（以後、カード）はクレジット、デビット決済およびポイント処理等をする媒体として、各種店舗のＣＡＴ端末、ガソリンスタンドのポンプ、端末等で幅広く使用されている。カードはＪＩＳ（Ｊａｐａｎ  Ｉｎｄｕｓｔｒｉａｌ  Ｓｔａｎｄａｒｄ）およびＩＳＯ（Ｉｎｔｅｒｎａｔｉｏｎａｌ  Ｓｔａｎｄａｒｄｉｚａｔｉｏｎ  Ｏｒｇａｎｉｚａｔｉｏｎ）で標準化されている。一般的には日本国内で使用される種々のクレジットカードはＪＩＳＩＩとＩＳＯを併用したカード（以後、ＪＩＳＩＩ／ＩＳＯカード）の両面（表面と裏面）に磁気データ情報が記録された磁気ストライプを持つカードが常識化しているが、海外市場では一般的にＩＳＯで標準化された片面（裏面）に磁気ストライプを持つカード（以後、ＩＳＯカード）のみが利用されており、それぞれの市場で前記カードに適合する端末が開発され、稼働している。近年、海外市場でも日本国内で使用されているカードが利用されることが多くなって来ており、海外市場で稼働している各種端末でのカードの処理がカードの裏表関係なく、カードリーダに挿入されても、問題なく使用できるカード端末をコスト高にならず、端末側に接続しやすいカードリーダが必要とされている。
第１１図に従来のガソリンポンプに併設されている手動挿入式カードリーダ（１ヘッドタイプ）の例を示す。第１１図において、カードリーダ本体部にカードを差し込む挿入口カバー１６を有するとともにカードリーダ本体部から隔壁を介して挿入口のカバー内側に磁気ヘッド保持手段１７を突出させ、そこにカードの磁気ストライプ内に記録されたカードデータの情報を読み取る磁気ヘッド１を配設している。また、挿入口カバー１６後方のカードリーダ本体部の上面には磁気ヘッドで読み取られたカードデータを復調し、前記カードデータ情報を格納処理する回路部１８が取り付けられている。
第１２図は従来のカードリーダであり、複数のトラックを有する１つの磁気ヘッド１と前記複数のトラックとそれぞれ接続された複数の復調部を有する。この復調部は、デコーダＩＣ５及びデコーダＩＣ６によって構成される。ＩＳＯカードの磁気ストライプが前記磁気ヘッド１に当接する正常な方向にカードが挿入されたなら、複数のトラックのカードデータ処理は正しく読み取りができるが、前記磁気ヘッド１が当接する面と反対の面に磁気ストライプが配置されるようにカードが挿入された場合は、前記複数のトラックのカードデータは出力されず、カードデータ処理ができない問題点があった。また、ＪＩＳＩＩ／ＩＳＯカードにおいて、ＩＳＯの磁気ストライプの場合は正常にカードデータ処理ができるが、ＪＩＳＩＩの磁気ストライプ読み取りはカードデータ処理はエラーとなる。
また、第１３図に示す従来のカードリーダは読み取り部が互いに対向し、各々が複数のトラックを有する磁気ヘッドを有する。これらの磁気ヘッドにはデコーダＩＣ５とデコーダＩＣ６が接続され、対応するデコーダＩＣに磁気ヘッドがデータを送信できるように構成されている。ＩＳＯカードの磁気ストライプのみ有するカードについては、前記ＩＳＯカードの磁気ストライプが前記磁気ヘッド１に当接するようにカードが挿入されたなら、複数のトラックのカードデータ処理は正しくできる。しかしながら、カードの一方の面にＪＩＳＩＩ、他方の面にＩＳＯの磁気ストライプをもつＪＩＳＩＩ／ＩＳＯカードの場合は、デコーダＩＣ５及びデコーダＩＣ６では、磁気ヘッド１，２のカードデータ、即ちＪＩＳＩＩとＩＳＯのデータとが混在し、どちらの方向からカードを挿入しても、カードデータ処理は正しくできない問題点があった。
また、第１４図に示す従来のカードリーダは読み取り部が互いに対向し、各々が複数のトラックを有する磁気ヘッドと前記磁気ヘッドそれぞれのトラックごとに接続されたＩＣデコーダ５、６、７、及び、８を有する。この場合は各トラックごとにデコーダＩＣがあるので、一方の面にＪＩＳＩＩカードの磁気ストライプ、他方の面にＩＳＯカードの磁気ストライプをもつカードであってもカードデータは正しく処理ができる。ただし、複数の復調部を増やす必要があり、最終カードデータ処理をするガソリンポンプの端末側のインターフェースに搭載されているＣＰＵのポートを増やす必要があったり、空きポートがない等の問題点があった。特に、すでに市場で大量に稼働しているガソリンポンプの端末側に影響を与えることなく、ＪＩＳＩＩ  ＩＳＯカードのデータ処理において、ＪＩＳＩＩカードデータを無視し、ＩＳＯカードデータのみを処理したいという要望があった。
本発明は前記課題を解決するもので、ＪＩＳＩＩ  ＩＳＯカード、ＩＳＯカードがカードリーダに挿入されたときにＪＩＳＩＩデータは無視をし、ＩＳＯデータのみを正常にデータ処理することを目的とする。
発明の開示
上記課題を解決するために、本発明第１のカードリーダは、磁気ヘッドと、前記磁気ヘッドで読み取られた信号の種類を検知する検知部と、前記磁気ヘッドで読み取られた情報を格納する格納部と、前記検知部によって検知された信号の種類によって前記格納部に格納された情報の出力を制御するものである。
また、本発明第２のカードリーダは、読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、前記磁気ヘッドで読み取った情報の種類を検知する検知部とを有し、前記検知部は情報の種類によって前記格納部に格納された情報の出力を制御するものである。
また、本発明第３のカードリーダは、読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、前記磁気ヘッドで読み取った情報の種類を検知する検知部とを有し、前記検知部は全ての格納部に接続され、情報の種類によって前記格納部のそれぞれについて格納された情報の出力を制御するものである。
また、本発明第４のカードリーダは、読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、何れか一方の磁気ヘッドに直接または間接的に接続され、この接続された磁気ヘッドで読み取った情報の種類を検知する検知部とを有し、前記検知部は情報の種類によって前記格納部に格納された情報の出力を制御するものである。
また、本発明第５のカードリーダは、読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、前記２つの磁気ヘッドのそれぞれに個別に直接的または間接的に接続され、この接続されている磁気ヘッドで読み取った情報の種類を検知する検知部とを有し、前記検知部はそれぞれが接続されている磁気ヘッドが読み取った情報が格納される格納部に接続され、情報の種類によって前記格納部に格納された情報の出力を制御するものである。
また、本発明第６のカードリーダは、検知部は、オペアンプと、前記オペアンプからの信号を基準信号と比較するコンパレータと、コンパレータに接続されたフリップフロップからなるものである。
発明を実施するための最良の形態
以下、本発明の実施の形態について図面を用いて説明する。
第１図において、（ａ）はＪＩＳＩＩカードのおもて面を示し、約６ｍｍ幅の磁気ストライプ内に１つのトラックを有する。（ｂ）はＩＳＯカードのおもて面を示し、うら面に磁気ストライプを有する。約１２ｍｍ幅の磁気ストライプ内に３つのトラックを有するカードと約６ｍｍ幅の磁気ストライプ内に２つのトラックを有するカードとがある。（ｃ）はＪＩＳＩＩ／ＩＳＯカードのおもて面を示し、おもて面にＪＩＳＩＩ、うら面にＩＳＯの磁気ストライプを有する。通常、ＪＩＳＩＩ側の磁気ストライプはおもて面に印刷されたグラフィックな装飾によって覆い隠されている場合が多い。また、データの記録密度が２１０ＢＰＩである１トラック（ＪＩＳトラック）を有している。そして他方のＩＳＯ側の磁気ストライプはデータの記録密度が２１０ＢＰＩ（ＩＳＯトラック１）、７５ＢＰＩ（ＩＳＯトラック２）および２１０ＢＰＩ（ＩＳＯトラック３）を有している。
第７図に２トラック用磁気ヘッドのカード読み取り部の２つのヘッドコア１０１、１０２で読み取られたＪＩＳＩＩおよびＩＳＯのトラック位置関係を示す。カードは磁気ヘッドに接触させながら挿入し、トラックに記録されたデータを読み取る。一方の磁気ヘッドは２つのトラックから記録密度が２１０ＢＰＩとする同位相のＪＩＳＩＩカードデータを、他方の磁気ヘッドは２つのトラックから記録密度が２１０ＢＰＩと７５ＢＰＩとする位相を異としたＩＳＯカードデータが出力することができる。
本発明の第１の実施の形態におけるカードリーダについて、第１図から第５図と第７図を用いて説明する。第２図、第３図において、カードリーダは、カードガイド溝に相対して２つの磁気ヘッド１、２を有し、カードリーダにＪＩＳＩＩ／ＩＳＯカードが挿入されると、前記磁気ヘッド１、２で磁気情報を読み取り、その次に、読み取られた微小振幅のアナログ信号を処理するための復調部であるデコーダＩＣ５から８へこれらの磁気情報を入力する。また、各トラックに対応してデコーダＩＣ５から８が配設されている。デコードＩＣは、磁気ヘッド１、２からの微小のアナログ信号を増幅する差動増幅器（以下、増幅器）と、前記アナログ信号を波形整形するコンパレータおよび前記コンパレータを通して出力される“０”及び“１”に２値化されたシリアルのデジタル信号を復調するデコーダとを内蔵している。磁気ヘッド１、２からの前記アナログ信号はデータ処理ができるように分離されたリードクロック（以下、／ＲＣＬ）信号、リードデータ（以下、／ＲＤＴ）信号、カードロード（以下、／ＣＬＤ）信号が出力される。一方の磁気ヘッド１（又は２）はおもて面の磁気ストライプに記録されたカードデータを読み取り、他方の磁気ヘッド２（又は１）はうら面の磁気ストライプに記録されたデータを読み取る。
一方の磁気ヘッド１は２つのコア、１０１と１０２を有する。他方の磁気ヘッド２は２つのコア、１０３と１０４を有する。各磁気ヘッド１、２によってカード２０１から読み取られた前記アナログ信号情報（カードデータ）はデータを復調するためのデコーダＩＣ５、６、７、８とデコーダＩＣ５、６、７、８から出力される情報をガソリンポンプ等の端末側へ送り出すのを制御するためトライステートバッファ（以下、バッファ）に設けられている制御部に接続されている。このバッファは格納部の役割りを果たす。各デコーダＩＣ５、６、７、８は各磁気ヘッド１、２で読み取られたカード２０１からの情報である／ＲＤＴ信号、／ＲＤＴ信号を処理するための／ＲＣＬ信号と／ＣＬＤ信号を出力する。／ＣＬＤ信号は磁気ヘッドが磁気ストライプ上の記録されたデータ（情報）を読み取られている間、“ＯＮ”状態となる。デコーダＩＣ５とデコーダＩＣ６はバッファ９に接続されている。また、デコーダＩＣ７とデコーダＩＣ８はバッファ１０に接続されている。デコーダＩＣ５とデコーダＩＣ６のＡＭＰＯ出力信号は磁気ヘッド１で読み取られた信号の種類を検知する検知部であるカード検出回路１１へ接続される。カード検出回路１１は磁気ヘッド１又は２によって読み取られたカードデータがカード２０１のおもて面の磁気ストライプから読み取られたか、あるいはうら面の磁気ストライプから読み取られたか信号かどうか信号の種類を検出する。そして出力させたいカード２０１のうら面のＩＳＯカードデータのみを正しいデータとして、バッファ９およびバッファ１０のどちらか一方からガソリンポンプ側へ出力させるために、カード検出回路１１からの出力信号をバッファ９へ接続するか又はインバータ１２を介してバッファ１０へ接続する。そして、どちらかひとつのバッファを選ぶようにバッファ９とバッファ１０をＯＮまたはＯＦＦさせる。第４図はカード検出回路１１の回路構成を示し、差動増幅器２０とコンパレータ２１とフリップフロップ２２のメイン回路で構成されている。デコーダＩＣ５とデコーダＩＣ６のＡＭＰＯ出力信号、ＡＭＰＯ（１）とＡＭＰＯ（２）はカード検出回路１１内の差動増幅器２０の反転入力、非反転入力に接続される。差動増幅器２０の出力はコンパレータ２１を通して、フリップフロップ２２に接続される。制御部のバッファ９及びバッファ１０の開閉（ＯＮ、ＯＦＦ）を制御する信号はフリップフロップ２２から出力される。
今、磁気ヘッド１にＩＳＯ側トラック、磁気ヘッド２にＪＩＳＩＩ側トラックとなるようにカード２０１がカードリーダへ挿入された場合、カード検出回路１１の差動増幅器２０の入力端子に第７図（ａ）に示すようなＩＳＯ側トラックの位相が異なるアナログ信号が入力されたなら、差動増幅器２０の出力は２つのトラックの記録密度が異なるアナログ出力波形が混在した状態となり、コンパレータ２１からの出力は第５図のコンパレータ出力に示すように、不定周期の“Ｈ”、“Ｌ”波形となる。この出力波形と磁気ヘッド１の２つのトラックからのカードロード信号／ＣＬＤ１と／ＣＬＤ２をＮＡＮＤゲート（表示せず）を通した／ＣＬＤ信号はフリップフロップ２２のＣＬＲ端子に接続される。前記／ＣＬＤ信号とのタイミングでフリップフロップ２２によってラッチをかけ、フリップフロップ２２のＱ端子からＱ出力信号が出力される。出力された信号が“Ｈ”レベルの期間、バッファ９へは“Ｈ”レベルの信号を、バッファ１０へは“Ｌ”レベルの信号を供給される。その結果、バッファ９はＯＮ（開）、バッファ１０はＯＦＦ（閉）となり、磁気ヘッド１のＩＳＯ側トラックのカードデータ、すなわち、／ＲＣＬ１、／ＲＤＴ１、／ＣＬＤ１、／ＲＣＬ２、／ＲＤＴ２、／ＣＬＤ２信号がガソリンポンプ側端末へ送出され、磁気ヘッド２のＪＩＳＩＩ側トラックデータの信号は遮断される。また、逆に、磁気ヘッド１にＪＩＳＩＩ側トラック、磁気ヘッド２にＩＳＯ側トラックがなるようにカードがカードリーダへ挿入された場合、カード検出回路１１の差動増幅器２０の入力端子に第７図（ｂ）に示すようなＪＩＳＩＩトラックの同位相のアナログ信号が入力され、差動増幅器２０の出力は“Ｌ”レベルとなり、コンパレータ２１、フリップフロップ２２を通して出力される信号は“Ｌ”レベルのままとなり、バッファ９へは“Ｌ”レベルの信号を、バッファ１０へは“Ｈ”レベルの信号を供給する。その結果、バッファ９はＯＦＦ（閉）、バッファ１０はＯＮ（開）となり、磁気ヘッド１のＪＩＳＩＩトラックデータの信号は遮断され、磁気ヘッド２のＩＳＯ側トラックのカードデータ、すなわち、／ＲＣＬ１′、／ＲＤＴ１′、／ＣＬＤ１′、／ＲＣＬ２′、／ＲＤＴ２′、／ＣＬＤ２′信号がガソリンポンプ側端末へ送出される。このようにして、ＪＩＳＩＩ側トラックデータを遮断し、ＩＳＯ側トラックデータのみをユーザ側の端末に必要なデータのみを送出する。
本発明の第２の実施の形態におけるカードリーダについて、第６図を用いて説明する。第６図は第１の実施の形態で示した第３図の回路と同様に、各トラックに対応してデコーダＩＣ５、６、７、８が配設されている。カードリーダは、各磁気ヘッド１、２とそれによってカード２０１から読み取られたアナログ信号情報（カードデータ）を復調するためのデコーダＩＣ５、６、７、８と、デコーダＩＣ５、６、７、８から出力される情報をガソリンポンプ等の端末側へ送り出す情報を格納するバッファ９、１０と、バッファから端末側へ情報を送る制御を行なう制御部を有する。デコーダＩＣ５とデコードＩＣ６のＡＭＰＯ出力信号は磁気ヘッド１で読み取られた信号の種類を検知する検知部であるカード検出回路１１へ接続される。また、デコーダＩＣ７とデコードＩＣ８のＡＭＰＯ出力信号は磁気ヘッド２で読み取られた信号の種類を検知する検知部で、カード検出回路１１と同じ電気部品で構成されるカード検出回路１１′を有する。各磁気ヘッドごとに格納部、検出部、制御部を個々に有し、ＪＩＳＩＩ／ＩＳＯカードに対して、第１の実施の形態と同様、ＪＩＳＩＩ側トラックデータを遮断し、ＩＳＯ側トラックデータのみをユーザ側の端末に必要なデータのみを送出する。
本発明の第３実施の形態におけるカードリーダについて、第８図、第９図、第１０図を用いて説明する。第８図は第１の実施の形態で示した第３図の回路と同様に、各トラックに対応してデコーダＩＣ５、６、７、８が配設されている。カードリーダは、各磁気ヘッドによってカード２０１から読み取られたアナログ信号情報（カードデータ）を復調するためのデコーダＩＣとデコーダＩＣから出力される情報を、格納部であるバッファ９、１０からガソリンポンプ等の端末側へ送り出すのを制御するの制御部を有し、デコーダＩＣ５とデコードＩＣ６のアナログ信号波形を波形整形した後、前記デコーダイＩＣ内のシュミット回路１４でデジタル波形に変換したＳＭＴＯ出力信号は磁気ヘッドで読み取られた信号の種類を検知する検知部であるカード検出回路１３へ接続される。
カード検出回路１３はＥＸｃｌｕｓｉｖｅ−ＯＲ（排他的論理和）回路を用いて構成されている。前記ＥＸｃｌｕｓｉｖｅ−ＯＲ回路から出力されたパルスはシュミットゲートＩＣ１４を通してフリップフロップ２２へ接続される。制御部のバッファ９及び１０の開閉（ＯＮ、ＯＦＦ）を制御する信号をフリップフロップ２２から出力される。その際、出現するエッジパルスをカットするために、前記ＥＸｃｌｕｓｉｖｅ−ＯＲ回路の出力側に抵抗とコンデンサで構成したＣＲ回路を付加している。
今、磁気ヘッド１にＩＳＯ側トラック、磁気ヘッド２にＪＩＳＩＩ側トラックがなるようにカード２０１がカードリーダへ挿入された場合、カード検出回路１３内の前記ＥＸｃｌｕｓｉｖｅ−ＯＲ回路の入力端に第９図に示すようなＩＳＯ側トラックの位相が異なるＳＭＴＯ信号Ａ，Ｂが入力されたなら、前記ＥＸｃｌｕｓｉｖｅ−ＯＲの出力端を通して、フリップフロップ２２に、２つのトラックの記録密度が異なるデジタル出力波形が排他的論理で処理され、混在した状態となり、第９図のＣに示すように、不定周期の“Ｈ”、または“Ｌ”レベルのデジタル波形となる。磁気ヘッド１の２つのトラックからのカードロード信号／ＣＬＤ１と／ＣＬＤ２をＮＡＮＤゲート１５に通した／ＣＬＤ信号はフリップフロップ２２のＣＬＲ端子に接続する。
第５図において示したのと同様に、前記デジタル出力波形と前記／ＣＬＤ信号とのタイミングでフリップフロップ２２によってラッチをかけ、フリップフロップ２２のＱ及びＱバー（Ｑの反転出力を意味する）端子から出力信号が出力される。Ｑ端子から出力された信号が“Ｈ”レベルの期間、バッファ９へは“Ｈ”レベルの信号が、また、Ｑバー端子から出力された信号がバッファ１０へは“Ｌ”レベルの信号が供給される。その結果、バッファ９はＯＮ（開）、バッファ１０はＯＦＦ（閉）となり、磁気ヘッド１のＩＳＯ側トラックのカードデータ、すなわち、／ＲＣＬ１、／ＲＤＴ１、／ＣＬＤ１、／ＲＣＬ２、／ＲＤＴ２、／ＣＬＤ２信号がガソリンポンプ側端末へ送出され、磁気ヘッド２のＪＩＳＩＩ側トラックデータの信号は遮断される。
また、逆に、磁気ヘッド１にＪＩＳＩＩ側トラック、磁気ヘッド２にＩＳＯ側トラックがなるようにカード２０１がカードリーダへ挿入された場合、カード検出回路１３内の前記ＥＸｃｌｕｓｉｖｅ−ＯＲ回路の入力端Ａ、Ｂに第１０図に示すようなＪＩＳＩＩ側トラックの同位相のＳＭＴＯ（１）、ＳＭＴＰ（２）信号が入力され、前記ＥＸｃｌｕｓｉｖｅ−ＯＲ回路の入力端Ａ、Ｂに入力される信号が同位相でタイムラグがない場合、前記ＥＸｃｌｕｓｉｖｅ−ＯＲの出力端は”Ｌ“レベルのままとなるが、タイムラグがある場合、第１０図のＣに示すエッジパルスが出力されるが、後端のＣＲ回路の定数を設定することにより、前記エッジパルスをカットすることができ、シュミットゲートＩＣ１４、フリップフロップ２３への入力は結果として、”Ｌ“レベルとなり、フリップフロップ２３を通して出力されるＱ端子の出力信号が“Ｌ”レベルのままとなり、バッファ９へは“Ｌ”レベルの信号を、Ｑバー（Ｑの反転出力を意味する）端子の出力信号はバッファ１０へ“Ｈ”レベルの信号を供給する。その結果、バッファ９はＯＦＦ（閉）、バッファ１０はＯＮ（開）となり、磁気ヘッド１のＪＩＳＩＩトラックデータの信号は遮断され、磁気ヘッド２のＩＳＯ側トラックのカードデータ、すなわち、／ＲＣＬ１、／ＲＤＴ１、／ＣＬＤ１、／ＲＣＬ２、／ＲＤＴ２、／ＣＬＤ２信号がガソリンポンプ側端末へ送出される。このようにして、ＪＩＳＩＩ側トラックデータを遮断し、ＩＳＯ側トラックデータのみをユーザ側の端末に必要なデータのみを送出する。
産業上の利用の可能性
以上、説明したように本発明第１のカードリーダによれば、磁気ヘッドと、前記磁気ヘッドで読み取られた信号の種類を検知する検知部と、前記磁気ヘッドで読み取られた情報を格納する格納部と、前記検知部によって検知された信号の種類によって前記格納部に格納された情報の出力を制御するため、特定の磁気ストライプのトラックからの情報のみを有効にして、送出することができる。
本発明第２のカードリーダによれば、読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、前記磁気ヘッドで読み取った情報の種類を検知する検知部とを有し、前記検知部は情報の種類によって前記格納部に格納された情報の出力を制御するため、特定の磁気ストライプのトラックからの情報のみを有効にして、送出することができる。
本発明第３のカードリーダによれば、読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、前記磁気ヘッドで読み取った情報の種類を検知する検知部とを有し、前記検知部は全ての格納部に接続され、情報の種類によって前記格納部のそれぞれについて格納された情報の出力を制御するため、特定の磁気ストライプのトラックからの情報のみを有効にして、送出することができる。
本発明第４のカードリーダによれば、読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、何れか一方の磁気ヘッドに直接または間接的に接続され、この接続された磁気ヘッドで読み取った情報の種類を検知する検知部とを有し、前記検知部は情報の種類によって前記格納部に格納された情報の出力を制御するため、特定の磁気ストライプのトラックからの情報のみを有効にして、送出することができる。
本発明第５のカードリーダによれば、読取部が互いに対向し、各々が複数のトラックを有する２つの磁気ヘッドと、前記複数のトラックとそれぞれ接続された複数の復調部と、前記複数の復調部とそれぞれ接続され復調された情報を格納する格納部と、前記２つの磁気ヘッドのそれぞれに個別に直接的または間接的に接続され、この接続されている磁気ヘッドで読み取った情報の種類を検知する検知部とを有し、前記検知部はそれぞれが接続されている磁気ヘッドが読み取った情報が格納される格納部に接続され、情報の種類によって前記格納部に格納された情報の出力を制御するため、特定の磁気ストライプのトラックからの情報のみを有効にして、送出することができる。
本発明第６のカードリーダによれば、検知部は、オペアンプと、前記オペアンプからの信号を基準信号と比較するコンパレータと、コンパレータに接続されたフリップフロップからなるため、特定の磁気ストライプのトラックからの情報のみを有効にして、送出することができる。
【図面の簡単な説明】
第１図は本発明の実施の形態におけるカードの図、第１（ａ）図はＪＩＳＩＩカードカードを示す図、第１（ｂ）図はＩＳＯカードを示す図、第１（ｃ）図はＪＩＳＩＩ／ＩＳＯカードを示す図、第２図は本発明の実施の形態におけるカードリーダの概略を示す側面図、第３図は本発明の実施の形態におけるカードリーダの構成を示す機能ブロック図、第４図は本発明の実施の形態におけるカードリーダの検出回路内に含まれる電気回路の構成を示す説明図、第５図は本発明の実施の形態におけるカードリーダの検出回路内に含まれる電気回路のタイミングチャート、第６図は本発の実施の形態におけるカードリーダの構成を示す機能ブロック図、第７図は本発明の実施の形態における２トラック仕様の磁気ヘッドと磁気ストライプの配置図で、第７図（ａ）は磁気ヘッド１に関する図、第７図（ｂ）は磁気ヘッド２に関する図、第８図は本発明の実施の形態におけるカードリーダの構成を示す機能ブロック図、第９図は本発明の実施の形態におけるカードリーダの構成回路のタイミングチャート、第１０図は本発明の実施の形態におけるカードリーダの構成回路のタイミングチャート、第１１図は従来のカードリーダの構成を示す機能ブロック図、第１２図は従来のカードリーダの構成を示す機能ブロック図、第１３図は従来のカードリーダの構成を示す機能ブロック図、第１４図は従来のカードリーダの構成を示す機能ブロック図である。
図面の参照符号の一覧表
１、２  磁気ヘッド
５、６、７、８  デコーダＩＣ
９、１０  バッファ
１１、１１’、１３  カード検出回路
１２  インバータ
１４  シュミットゲート回路
１５  ＮＡＮＤゲート
１６  挿入口カバー
１７  磁気ヘッド保持手段
１８  回路部
２０  差動増幅回路
２１  コンパレータ
２２  フリップフロップ
１０１、１０２、１０３、１０４  コア
２０１  カード
【図１（ａ）】
2003015083.tif 000003
【図１（ｂ）】
2003015083.tif 000004
【図１（ｃ）】
2003015083.tif 000005
【図２】
2003015083.tif 000006
【図３】
2003015083.tif 000007
【図４】
2003015083.tif 000008
【図５】
2003015083.tif 000009
【図６】
2003015083.tif 000010
【図７（ａ）】
2003015083.tif 000011
【図７（ｂ）】
2003015083.tif 000012
【図８】
2003015083.tif 000013
【図９】
2003015083.tif 000014
【図１０】
2003015083.tif 000015
【図１１】
2003015083.tif 000016
【図１２】
2003015083.tif 000017
【図１３】
2003015083.tif 000018
【図１４】
2003015083.tif 000019
【国際調査報告】
2003015083.tif 000020
2003015083.tif 000021